Podtech/llm-jp-corpus-v4-ja_patent huggingface dataset:
(57)【要約】【課題】手を使わずに犬等の糞を処理する装置を提供する。【解決手段】犬等の糞を処理する時に手を使わず、内側に付けられた爪を開き、閉じることにより糞を掬い取り中に取り付けられた袋（ビニール状のもの）に収納する、取り込まれた糞は中の仕切り板を開き、更に袋の奥まで入れ込み仕切り板を閉じる事により袋が満杯になるまで、そのまま何度も使用できる糞を処理できる装置。【選択図】図３
2007075079.tif 000002
【特許請求の範囲】
【請求項１】
犬等の糞を処理する時に手を使わず、内側に付けられた爪を開き、閉じることにより糞を掬い取り中に取り付けられた袋（ビニール状のもの）に収納する、取り込まれた糞は中の仕切り板を開き、更に袋の奥まで入れ込み仕切り板を閉じる事により袋が満杯になるまで、そのまま何度も使用できる糞を処理できる装置。
【発明の詳細な説明】
【技術分野】
【０００１】本発明は、犬等の糞を処理するにおいて、手を使わずに処理できるようにするものである。
【背景技術】
【０００２】従来は、手にビニール袋を被せて、糞を掴み取っている。
【発明の開示】
【発明が解決するための課題】
【０００３】そのために、ビニールを被せるとはいえ、糞を手で掴むことにかわりなく気持ちの良いものではない。
【課題を解決するための手段】
【０００４】犬等の糞を処理する時に手を使わず、内側に付けられた爪を開き、閉じることにより糞を掬い取り中に取り付けられた袋（ビニール状のもの）に収納する、取り込まれた糞は中の仕切り板を開き、更に袋の奥まで入れ込み仕切り板を閉じる事により袋が満杯になるまで、そのまま何度も使用できる糞を処理できる装置。
【発明の効果】
【０００５】イ  手に触れる事がないから衛生的に良い。
ロ  袋に溜めることができるので毎回捨てることがなく手間がすくない。
【発明を実施するための最良の形態】
【０００６】以下、本発明の実施の形態を説明する。
（イ）内筒（１５）とバネ（１７）を接続する。
（ロ）（イ）を外筒（１４）に入れ込みバネを外筒に接続する。
（ハ）外淵（２）の内側コーナ部分に反動軸（図８）を取り付ける。
（ニ）中淵（３）の溝に支柱（４）を合わせて、その状態で支柱を外淵の天井に固定する。
（ホ）支柱にレール（８）を取り付ける。
（ヘ）レールの上に仕切り板（６）を乗せる。
（ト）仕切り板が中心になるようにゴムひも１（７）を支柱に取り付ける。
（チ）仕切り板と握り（１）を滑車（１０）を経由してひも（９）で繋げる。
（リ）爪（５）の先端の穴にゴムひも２（１３）をとおす。
（ヌ）（リ）のひとつおきの爪の胴体を開き、ゴムひも２を胴体の中に入れて上部を爪に固定して閉じる。
（ル）支柱の先端に閉じた状態で爪を取り付ける。
本発明は、以上の構成でなっている。
これを使用する時は準備として中淵（３）を上方向に止まるまで押し上げて爪（５）を開き、握り（１）を回転させて仕切り板（６）を開く。ビニール袋（図９）の底が外淵（２）の一番奥になるように入れ込み、ビニール袋（図９）入り口の両面テープ（１８）を剥がして爪（５）の先端に巻き付けるように貼り付ける。握りを元の位置に戻して仕切り板を閉じ、ボタン（１２）を押すと反動軸（図８）の反動により中淵が戻って爪が閉じる。
使用する時は中淵（３）を上方向に止まるまで押し上げて爪を開き、爪の間に糞が入るように被せてをボタンを押す。反動軸の反動により中淵が押し出されることにより爪（５）が閉じられ、糞が掬い取られる。
糞は爪と仕切り板の間に取り込まれているため、上を向けた状態で握り  を回転させて、仕切り板を開いて糞を中に取り込む。
握りを反転させて仕切り板を閉じる事によりビニール袋が満杯になるまで、そのまま使用できる。
ビニール袋が満杯になったら密封シール（１９）を爪に被さったビニール袋に貼り付けて、中淵を押し上げて爪を開き、握りを回転させて仕切り板を開いて糞で満杯なったビニール袋を取り出して捨てる。
【図面の簡単な説明】
【０００７】
【図１】本発明の正面図。
【図２】本発明の側面図。
【図３】本発明の使用時の側面図。
【図４】本発明の断面図（Ａ−Ａ）。
【図５】本発明の断面図（Ｂ−Ｂ）。
【図６】本発明の使用時の正面断面図（Ｃ−Ｃ）。
【図７】本発明の使用時の側面断面図。
【図８】本発明の反動軸の断面図（Ｄ−Ｄ）。
【図９】本発明のビニール袋
【図１０】本発明の密封シール
【符号の説明】
【０００８】１    握り
２    外淵
３    中淵
４    支柱
５    爪
６    仕切り板
７    ゴムひも１
８    レール
９    ひも
１０  滑車
１１  ストッパー
１２  ボタン
１３  ゴムひも２
１４  外筒
１５  内筒
１６  弁
１７  バネ
１８  両面テープ
１９  密封シール
【図１】
2007075079.tif 000003
【図２】
2007075079.tif 000004
【図３】
2007075079.tif 000005
【図４】
2007075079.tif 000006
【図５】
2007075079.tif 000007
【図６】
2007075079.tif 000008
【図７】
2007075079.tif 000009
【図８】
2007075079.tif 000010
【図９】
2007075079.tif 000011
【図１０】
2007075079.tif 000012
(57)【要約】      （修正有）【課題】ベランダ園芸に適した種苗、植物の種類に合わせて調合し、植物の栽培期間に必要な分量を袋詰めした培養土、および栽培方法の指導などをパッケージとして販売貸し出しし、栽培終了後に、使用済みの培養土、鉢などを回収処理する営業システムを提供する。【解決手段】まず、ベランダ菜園に適した植物を選定し、選定した植物の種類別に培養土を調合製作して、植物の収穫が十分できる容量の鉢容器詰め培養土を製作する。そして、種まき苗植えを専門家が指導又は代行し、種まき苗植え後の栽培方法、収穫の方法と時期などの定期的な指導又は代行を行う。鑑賞後・収穫修了後には、使用済みの培養土および鉢などの残物を回収する。【選択図】  図１
2007075080.tif 000002
【特許請求の範囲】
【請求項１】
栽培植物に適した培養土の袋詰め植物鉢物詰めの販売貸し出しと、種苗蒔き植え清掃代行、使用済み残土不要鉢などの回収処理代行付き営業システム。
【請求項２】
請求項１の栽培鉢の培養土の雨水などによる飛散防止カバー、傘、鉢や鉢置き場の汚損防止用鉢置き台をセットしたベランダ菜園営業システム。
【請求項３】
請求項１の培養土種苗配達、残土残品の回収を宅配便で往復行う通信販売に通信・インターネットなどによる指導付き、ベランダ菜園・園芸営業システム。
【発明の詳細な説明】
【技術分野】
【０００１】  本発明は、ベランダ菜園、園芸の土と栽培指導代行、鑑賞期収穫修了時の清掃代行、残土鉢残物などの回収処理を一括して行うシステムの事業に関するものです。
特にベランダ菜園は植物に合わせて土を作り、収穫完了時までの必要量を鉢詰めにして準備販売します。培養土はトマトでもスイカても種を蒔き苗を植えれば、誰にでも実を付けることができ食することができます。
ベランダ園芸菜園で、困ることは鑑賞期収穫期を過ぎた残土鉢や残物の清掃とその処理です。本発明は、残土残物回収処理付き販売のシステムです。なお、鉢には雨水による土の飛散防止カバーを装着しベランダ汚損の心配を払拭しています。
【背景技術】
【０００２】  従来は、ベランダ菜園など必要としませんでしたから、本発明の植物別培養土肥料などを鉢に詰めた商品は存在しなかったのでしょう、現在も販売もされていません。
近年、園芸用に腐葉土や黒土赤玉土などの袋詰めは見られますが、これは求めた人が調合して使用する物で、素人の調合ですから植物にたいする適不適に付いては不明です。
また、現在数多くの種類の鉢物植木や鉢物草花が販売されていますが、花期後の空き鉢残土などの処理は、お客である買い主が行っています。
そして鉢は一回限りの使い捨てを前提に制作した物が大半で、再使用など考慮された物は見当たりません。これでよろしいのでしょうか。
【発明が解決しようとする課題】
【０００３】  従来の技術で述べましたが、ベランダ園芸は普及しているのですが、菜園はされていません。第一にベランダ菜園で花咲かせ、実を楽しみ、味を楽しむ栽培ができることを証明する培養土を詰めた鉢を商品化します。
第二は、種の蒔き方苗の植え方の指導。第三は、栽培指導とベランダ汚損防止の課題。
第四は、花木鑑賞後、野菜収穫修了後の残土、鉢、その他の残物の回収と廃棄処理を、販売システムの中で解決する課題。
第五は、宅配便による通信販売指導と残土残物の完全回収システム化の課題。残土残物の回収システムは、環境保護の課題をも解決します。
【課題を解決するための手段】
【０００４】  上記第一の課題は、▲１▼ベランダ栽培に適した植物を選定し、その植物に最適な培養土を制作します。▲２▼その植物の栽培に最適な容量が入る大きさの鉢に培養土を詰めた鉢を作成します。
【０００５】  第二は、植物栽培最初の課題で、種蒔きと苗の植え方です。これには第一の課題▲２▼の培養土鉢を配達するこの時に指導または代行します。
第三の課題は、日常手入れの問題に関することと、長期間の留守管理などです。これには、電話指導と係員が出向して対応します。
【０００６】  第四の課題は、鑑賞期や野菜などの収穫修了の時期に、確認の連絡をし残土鉢や残物の回収をします。確認の連絡は、必然的に時期栽培物の新規注文が得られるので、サイクル販売システムの確立ができ営業活動を確立します。
第五の通信販売の課題は梱包と配送です。特に、残土残物の梱包です。そこで、これには容易に梱包できる「往復使用パッケージ」を制作し課題を解決しています。
現在宅配その他のパッケージは使い捨ての物が、本発明の「往復使用パッケージ」観は、包装梱包物の多発を防ぎ、植物通信販売教育だけの効果ではなく公害、資源枯渇、自然環境保護の課題をも解決します。
【発明を実施するための最良の形態】
【０００７】  発明の実施の形態について、図面により説明します。
図１は、植物種別の専用培養土容器詰めと栽培指導と代行、残土残物回収付きの店頭販売と通信販売システムの説明図です。
Ａ．植物種別ごとの容器詰め専用培養土。
Ｂ．容器詰め培養土に適した種苗。
Ｃ−１．店頭販売。で、配達は販売店車両種まき苗植え指導と代行付き。
Ｄ−１．通信販売。で、配達は託送業者車両種まき苗植えの代行は別途依頼。
Ｃ−２．栽培管理。で、▲１▼と▲２▼を行いないます。
Ｄ−２．通信販売栽培管理。で、（１）と（２）を行いないます。
Ｃ−３．鑑賞・収穫後の管理。で、▲１▼と▲２▼を行いないます。
Ｄ−３．通信販売・鑑賞・収穫後の管理。で、（１）と（２）を行いないます。
Ｅ．回収物処理。は、店頭販売の物も通信販売の物も合わせて処理します。
【発明の効果】
【０００８】  本発明は上述の通りです。
【０００９】  本発明の培養土は、植物種類別に専用に制作した物です植物の寿命を容量を、ベランダ菜園・園芸に鉢詰めしてあるので、指定された手入れをすれば容易に誰でも、最高の栽培効果を上げることができます。
【００１０】  温暖地の植物「欄」などの託送小包便を、容易に荷造りできる折り畳みバンド締め方式の「往復使用パッケージ」を発明、ベランダ園芸・菜園の残土鉢や残物の回収方法を解決、通信販売の方法で営業できるシステムを確立し効果を上げています。
【００１１】  また、ベランダ菜園・園芸の難問、雨水による鉢土の飛散とベランダ汚損の問題を、鉢カバーを発明設置して防止し、ベランダ汚染の原因残土と残物処理を完全回収システムで解決しました。
美しく可愛い小玉スイカやトマトなどを鑑賞し、新鮮な取り立てが食べられるベランダ菜園は、現代の住環境を楽しむ方法の一つとして、必ず普及し効果が上げられます。なお、植物の栽培は雑草や害虫との戦いでもあり、教えられることの多い生きた教材として、優れた効果が得られます。
【図面の簡単な説明】
【００１２】
【図１】は、植物種別の専用培養土容器詰めと栽培指導と代行、残土残物回収付きの店頭販売と通信販売システムの説明図です。
【符号の説明】
図１のＡ．は、植物種別の専用培養土容器詰め。
Ｂ．は、ベランダ菜園適した植物の種苗。
Ｃ−１．Ｃ−２．Ｃ−３．は、店頭販売関係のサービスシステムの記号。
Ｄ−１．Ｄ−２．Ｄ−３．は、通信販売関係のサービスシステムの記号。
Ｅ．は、残土残物回収物の焼却処理の記号。
【図１】
2007075080.tif 000003
(57)【要約】【課題】本発明は、簡単な構造で、分岐回路数を減少させることなく避雷器や感震器等の高機能機器の取り付けが可能である住宅用分電盤を提供することを目的とている。【解決手段】本発明に係る住宅用分電盤１は、基台２の端部で主幹ブレーカ３に電線により接続可能である位置に、差し込み式端子台５を設け、差し込み式端子台５に、差し込み式端子６ａを有する避雷器や感震器等の高機能機器６を取り付け、取り付け作業も容易であることを特徴とする。【選択図】図１
2007097307.tif 000002
【特許請求の範囲】
【請求項１】
基台に主幹ブレーカや分岐ブレーカ等の電気機器を配列して構成される住宅用分電盤において、前記基台の端部で前記主幹ブレーカに電線により接続可能である位置に、差し込み式端子台を設け、該差し込み式端子台に、差し込み式端子を有する避雷器や感震器等の高機能機器を取り付けることを特徴とする住宅用分電盤。
【発明の詳細な説明】
【技術分野】
【０００１】
本発明は、基台に主幹ブレーカや分岐ブレーカ等の電気機器を配列して構成される住宅用分電盤に関するものである。
【背景技術】
【０００２】
住宅用分電盤３１は、基台３２に主幹ブレーカ３３や分岐ブレーカ３４等の電気機器を配列する。分岐ブレーカ３４は上段下段の二段に分けて配列されることが多く、各電気機器間は電線や導電バー等で配線される。
【０００３】
近年、電気製品の多様化に伴い、雷サージが電線に侵入した時に、雷サージから電気製品を保護する避雷器や、地震を検知して回路を遮断する感震器等、高機能機器３５を搭載した住宅用分電盤３１が見られる。
【０００４】
上記に示すような避雷器や感震器等の高機能機器３５は、分岐ブレーカ３４に置き換えて配置していた。
【０００５】
また、避雷器や感震器等の高機能機器３５が故障または破損した場合の交換は、主幹ブレーカ３３を切って行っていた。
【特許文献１】特開平１０−２５７６１７号公報
【特許文献２】特開２００４−２３８８８号公報
【非特許文献１】（社）日本配線器具工業会規格  ＪＷＤＳ０００７−付２  感震機能付住宅用分電盤
【発明の開示】
【発明が解決しようとする課題】
【０００６】
解決しようとする問題点は、避雷器や感震器等高機能機器３５を分岐ブレーカ３４に置き換えて配置するので、分岐回路数が減少してしまうという点である。分岐回路数を確保しようとすると、基台３２を大きくしなくてはならず、住宅用分電盤３１の取り付け場所に制約ができてしまうという欠点があった。
【０００７】
また、避雷器や感震器等の高機能機器３５の交換の際には、主幹ブレーカ３３を切るため、住宅への通電が止まってしまうという欠点があった。
【課題を解決するための手段】
【０００８】
本発明は、簡単な構造で、分岐回路数を減少させることなく避雷器や感震器等の高機能機器の取り付けが可能である住宅用分電盤を提供することを目的とし、基台の端部で前記主幹ブレーカに電線により接続可能である位置に、差し込み式端子台を設け、差し込み式端子台に、差し込み式端子を有する避雷器や感震器等の高機能機器を取り付けることを特徴とする。
【発明の効果】
【０００９】
本発明に係る住宅用分電盤は、基台の端部で前記主幹ブレーカに電線により接続可能である位置に、差し込み式端子台を設け、差し込み式端子台に、差し込み式端子を有する避雷器や感震器等の高機能機器を取り付けるため、分岐回路数を減少させず、基台も大きくせずに、高機能機器を取り付けることが可能であり、省スペースであるという利点がある。また、避雷器や感震器等の高機能機器の交換時には主幹ブレーカを切ることなく容易に交換が可能である。
【発明を実施するための最良の形態】
【００１０】
省スペースに機器を収納するという目的を、最小の部品点数で、分岐回路数を減少せずに実現した。
【実施例１】
【００１１】
本発明に係る住宅用分電盤の実施例を図１の添付図面に基づいて説明する。
【００１２】
住宅用分電盤１は、基台２に主幹ブレーカ３、分岐ブレーカ４等の電気機器を配列し構成される。各電気機器は電線や導電バーで接続される。基台２の端部には差し込み式端子台５を設ける。差し込み端子台５は主幹ブレーカ３の負荷側端子３ａに接続される。
【００１３】
避雷器や感震器等の高機能機器６にも差し込み端子構造を形成する。差し込み式端子台５に高機能機器６の差し込み端子部６ａを差し込んで装着する。分岐ブレーカ４は、高機能機器６を取り付ける場合にでもスペースの許す限り取り付け可能で、分岐回路数を減らすことなく搭載できる。
【００１４】
差し込み端子構造を採用することで、高機能機器６の取り付け取り外し作業が容易である他に、通電したままでも作業が安全に行えるという利点がある。
【００１５】
避雷器が取り付けられた場合には、避雷器から接地端子へ配線し、電線より侵入した雷サージを負荷に当たる電気機器へ伝えないようにする。
【００１６】
また、感震器が取り付けられた場合、感震器から主幹ブレーカへ配線し、地震を検知したら主幹ブレーカで回路が切断される仕組みとなっている。
【産業上の利用可能性】
【００１７】
避雷器や感震器等の高機能機器を差し込み端子にて取り付け可能とし、分岐回路数を減らすことなく安全に且つ容易に取り付けることができ、さらには高機能機器を交換する場合にも主幹ブレーカを切らずに作業が行える。
【図面の簡単な説明】
【００１８】
【図１】住宅用分電盤の実施方法を示した説明図である。（実施例１）
【図２】従来の住宅用分電盤の実施方法を示した説明図である。
【符号の説明】
【００１９】
１    住宅用分電盤
２    基台
３    主幹ブレーカ
３ａ  負荷側端子
４    分岐ブレーカ
５    差し込み端子台
６    高機能機器
６ａ  差し込み端子部
【図１】
2007097307.tif 000003
【図２】
2007097307.tif 000004
(57)【要約】【課題】  地球温暖化防止のため提案。【解決手段】  現代の技術では負荷が無い軽い回転体はスラストベアリングにより、そのモーターの持つ。起動時の電力をはかるに下回るアンペアで回転させることが可能である。特にインバータとかサーボコントローラーは電力のボルトをアンペアに変えて駆動する。従って負荷が無く強力な磁石が空芯コイルの中を早い速度で磁束を切れば、その時点で電力は発生している。【選択図】          図１
2007097385.tif 000002
【特許請求の範囲】
【請求項１】
空芯コイルを間隔を置いて縦に連結し、その中を円柱型の磁極の横割りの磁石を交互に通過させる事により発電を図る。
【請求項２】
空芯コイルを円型か縦型、横型とかに穴の開いている部分を少しの間隔で連結し、磁極の横割りの円柱型磁石をＮ、Ｓとまた少し間を置いてＳ、Ｎと交互にコイルの中心を通過させる事により、発電を図る。
【請求項３】
空芯コイルの一回りを重ねたり、大きさを広げたりする事により、多重発電を図る。
【請求項４】
空芯コイルの中心を通り抜ける磁石を螺旋型を用いて回転させる事により発電を図る。
【発明の詳細な説明】
【技術分野】
【０００１】  コイル式発電機でコイルをトンネル型に円型に配置し、そのトンネルの中を磁石が少し間を空けて連続して通り抜けることにより発電を図る。
【背景技術】
【０００２】  既に我々が特許申請中の
特願２００３−４０２２５６
特願２００４−１５６８８５
特願２００４−１９８６４０
特願２００４−３７０１７６
特願２００５−１３２９９３
ＰＣＴ／ＪＰ０３１５９９８
を背景技術とし開発いたしました。
【発明の開示】
【発明が解決しようとする課題】
【０００３】  鉄芯を使用せずに空芯コイルの中を磁石を通過させる。
鉄の負荷が無いので磁石の吸着がなく少ない電力で大きな発電が図れる。
【課題を解決するための手段】
【０００４】  磁石の負荷である鉄を徹底的に排除する事により強い磁石を用い、コイルに接近させ空気により磁界を拡大させ強い電力を発生させる。
【発明の効果】
【０００５】  円型発電機は５０ｃｍ〜１００ｍ迄、如何様にも製造可能であるが、構造がシンプルであるため、円型を多層に重ねても縦に増やしても運転可能である。
直径１００ｍに渦巻き式のコイルを何層に渉り配置し、それを何重にも積み重ねる事により巨大な発電機が誕生する。
入力は磁石に対する鉄の負荷が全くないので９月２２日に提出した
整理番号  ＹＢ１２２５−０１２  の方式で回転するのは磁石のみでコイルは本体に固定されているので入力の負荷は磁石の積み重ねだけになり、それが浮上してスラストベアリングにより回転するため、入力は最小限に押さえられる。
【発明を実施するための最良の形態】
【０００６】  渦巻き式にコイルを配置し、それぞれの円型の、コイルの中心を磁界の横割りの円柱型の磁石が間隔を開けずに回転する。
中心軸からベルトにより各円型の磁石の帯を歯車により制御し回転させる。
【産業上の利用可能性】
【０００７】  原子力発電に変わる大型発電機も製造可能であると共に小型の分散型電源としても利用可能である。
【図面の簡単な説明】
【０００８】
【図１】      本発明を使用した機械の上部からの図
【図２】      本発明の上部からの図
【符号の説明】
【０００９】    １．空芯コイル
２．磁石
３．回転体
【図１】
2007097385.tif 000003
【図２】
2007097385.tif 000004